(57)【要約】【課題】送受話器の接続により流れる電流を検知して、いずれかの送受話器への切り替えを行なえるようにする切替制御装置及び通信機器を提供することにある。【解決手段】本発明の切替制御装置及び通信機器は、複数種類の送話器と接続することができる複数の接続手段を有し、送話器の接続により接続手段に流れる電流を検知する電流監視手段を備える。そして、本発明は、切替制御手段が、電流監視手段からの電流検知信号に基づいて、切替制御信号を切替手段に与え、接続手段の切替を行なう。【選択図】      図１
2013038599.tif 000002
【特許請求の範囲】
【請求項１】
複数種類の送話器と接続する複数の接続手段と、
上記複数の接続手段のうち、通話に係る接続手段を切り替える切替手段と、
いずれの上記接続手段の導通により生じる電流を監視する電流監視手段と、
上記電流監視手段からの電流検知信号に基づいて、切替制御信号を上記切替手段に与える切替制御手段と
を備えることを特徴とする切替制御装置。
【請求項２】
上記電流監視手段が、上記接続手段に流れる電流に基づいて発光する発光素子と、上記発光素子の発光に基づいて電気信号を出力する受光素子とを有するものであり、
上記切替制御手段が、上記受光素子からの電気信号に応じて上記切替制御信号を出力するものである
ことを特徴とする請求項１に記載の切替制御装置。
【請求項３】
複数種類の送話器のうちいずれの送話器との接続に切り替える切替制御装置を有する通信機器において、上記切替制御装置が請求項１又は２に記載の切替制御装置に相当するものであることを特徴とする通信機器。
【発明の詳細な説明】
【技術分野】
【０００１】
本発明は、切替制御装置及び通信機器に関するものである。例えば、ハンドセット接続及びヘッドセット接続を切り替える切替制御装置及び通信機器に適用し得るものである。
【背景技術】
【０００２】
例えば、指令台システムや受付台システム等の操作台類システムには、利用者がハンドセット型送受話器（以下、ハンドセットともいう）、ヘッドセット型送受話器（以下、ヘッドセットともいう）のいずれかに切り替えて音声通信を行なう音声システムを有するものがある。なお、ヘッドセット型送受話器とは、マイクロフォンが接続されたヘッドホンやイヤホンである。
【０００３】
一般的に、操作台類システムでは、複数の利用者が、同じ電話機などの通信機器を入れ替わり使用する。ハンドセットによる通話を行なうか又はヘッドセットにより通話を行なうかは利用者の好みにより使い分けることができ、ハンドセット通話を行なう場合には、利用者がハンドセット型送受話器を通信機器に接続し、ヘッドセット通話を行なう場合には、利用者がヘッドセット型送受話器を通信機器に接続して使い分ける。
【０００４】
図２は、従来の通信機器におけるインターフェース制御の構成を示す構成図である。従来、利用者がハンドセット通話からヘッドセット通話に切り替える場合、利用者が端末操作をし、端末からの通話切替信号に基づいて、ＣＰＵ７１がセレクタ４１及び４２を切り替え制御することで行なわれている。
【０００５】
また従来、ヘッドセットの挿入及び抜去を監視する技術として、例えば特許文献１に記載される技術がある。特許文献１の記載技術は、ヘッドセットの接続部に検出回路が設けられ、検出回路がヘッドセットジャックの挿抜による電圧を監視して、検出回路の監視結果に基づいて切替部がヘッドセットへの切り替えを行なうというものである。
【先行技術文献】
【特許文献】
【０００６】
【特許文献１】特開２００２−１５２３６５号公報
【発明の概要】
【発明が解決しようとする課題】
【０００７】
しかしながら、図２に例示した従来のインターフェース制御構成の場合、利用者が手操作により切り替えを行なうものであり、送受話器の挿抜監視を機構的に持たない。そのため、通信機器は送受話器の挿抜を監視できず、例えばヘッドセットが挿入されただけで、ヘッドセット通話に切り替えるということができないという問題がある。
【０００８】
また、上述した特許文献１の記載技術を適用しても、検出回路は、直接、音声信号に基づく電圧を検出するので、インピーダンスが変化してしまい、音声品質に影響が生じ得る。
【０００９】
そこで、例えばハンドセットとヘッドセットのように、複数種類の送受話器を用いて通話できる通信機器において、簡単な構成により、送受話器の接続を監視して、いずれかの送受話器への切り替えを行なうことができる切替制御装置及び通信機器が求められている。
【課題を解決するための手段】
【００１０】
かかる課題を解決するために、第１の本発明は、（１）複数種類の送話器と接続する複数の接続手段と、（２）複数の接続手段のうち、通話に係る接続手段を切り替える切替手段と、（３）いずれの接続手段の導通により生じる電流を監視する電流監視手段と、（４）電流監視手段からの電流検知信号に基づいて、切替制御信号を切替手段に与える切替制御手段とを備えることを特徴とする切替制御装置である。
【００１１】
第２の本発明は、複数種類の送話器のうちいずれの送話器との接続に切り替える切替制御装置を有する通信機器において、切替制御装置が第１の本発明の切替制御装置に相当するものであることを特徴とする通信機器である。
【発明の効果】
【００１２】
本発明によれば、簡単な構成により、少なくとも送話器の接続により生じる電流を監視し、送受話器の接続構成を切り替えることができる。
【図面の簡単な説明】
【００１３】
【図１】実施形態の通信機器が有するインターフェース制御の構成を示す構成図である。
【図２】従来の通信機器におけるインターフェース制御の構成を示す構成図である。
【図３】実施形態の通信機器における送受話器の接続切替方法を説明する説明図である。
【発明を実施するための形態】
【００１４】
（Ａ）第１の実施形態
以下では、本発明の切替制御装置及び通信機器の第１の実施形態について図面を参照しながら説明する。
【００１５】
第１の実施形態では、例えば、操作台類システムが備える音声通信システムの通信機器に、本発明を適用する場合を例示して説明する。
【００１６】
（Ａ−１）第１の実施形態の構成
図１は、実施形態の通信機器が有するインターフェース制御の構成を示す構成図である。
【００１７】
通信機器１０は、例えば、操作台類システムのＰＢＸ等の音声システムと接続しており、利用者による通話を行なうものである。操作台類システムは、既存のシステムを適用することができ、例えば、利用者端末、通信機器、ＰＢＸ等の音声システム、操作台類制御装置等を有して構成される。また、ＰＢＸ等の音声システムも既存のシステムを適用することができる。
【００１８】
通信機器１０は、複数種類の送受話器と接続可能なものである。第１の実施形態では、通信機器１０がハンドセット型送受話器及びヘッドセット型送受話器と接続可能であり、通信機器１０のインターフェース制御がハンドセット型送受話器とヘッドセット型送受話器とを切り替えることで、いずれの送受話器を用いた通話を行なうものである。
【００１９】
図１において、通信機器１０は、送受話器を接続するインターフェース制御手段として、主として、音声回路部６１、制御回路部６２を有する。
【００２０】
音声回路部６１は、音声通信を行なう音声通信処理部及び装置である。音声回路部６１は、ハンドセットとヘッドセットの複数種類の送受話器と接続することができる接続端子を備えている。音声回路部６１は、接続構成をハンドセット側又はヘッドセット側に切り替えるものである。これにより、利用者は、いずれの送受話器を通信機器１０に接続して通話を行なうことができる。
【００２１】
ここで、ハンドセットとヘッドセットの通信用コネクタは、特に限定されるものではないが、第１の実施形態ではモジュラープラグタイプである場合を例示する。つまり、通信機器１０はモジュラープラグタイプのジャックを備え、ハンドセット及びヘッドセットはモジュラープラグタイプのプラグを備える。
【００２２】
なお、モジュラープラグ形式とは、送話用及び受話用に２Ｗ（ワイヤー）ずつの音声４Ｗからなるコネクタ形式である。また、通信用コネクタは、モジュラープラグタイプに限定されるものではなく、例えば、ピンプラグジャックタイプ等も適用することができる。
【００２３】
音声回路部６１は、ヘッドセットの挿入又は抜去に伴う電流の流れを監視する電流監視手段１５を備える。電流監視手段１５の構成の詳細な説明は後述するが、ヘッドセットが挿入され、ヘッドセットのプラグ（接続端子）が接続端子２１、２２及び２５に接続されることにより、導通して流れる電流を電流監視手段１５は検知するものである。電流監視手段１５は、電流検知に係る検知信号を制御回路部６２に与える。
【００２４】
また、音声回路部６１は、制御回路部６２からの通話切替信号に基づいて、ハンドセット接続又はヘッドセット接続に切り替えるものである。
【００２５】
図１に示すように、音声回路部６１は、制御部５、セレクタ部４１及び４２、増幅回路部３１〜３４、ヘッドセットの送話用の接続端子２１及び２２、ヘッドセットの受話用の接続端子２５、ハンドセットの送話用の接続端子２３及び２４、ハンドセット用の受話用接続端子２６、抵抗Ｒ１、Ｒ２、Ｒ３、Ｒ４、Ｒ５、Ｒ７、Ｒ８、Ｒ９、発光素子１１、受光素子１２を有する。
【００２６】
制御部５は、音声通信処理を制御する制御処理部又は装置である。例えば、制御部５は、ＰＢＸ等の音声システムと接続するものであったり、又は音声システムの一部の機能を行なうものであったりする。例えば、制御部５は外線通話、内線通話を行なう。
【００２７】
セレクタ部４１及び４２は、制御回路部６２からの通話切替信号に基づいて、接続される送受話器の接続構成を切り替えるものである。セレクタ部４１は、送話側の接続構成を切り替えるものであり、セレクタ部４２は、受話側の接続構成を切り替えるものである。
【００２８】
接続端子２３、２４及び２６、抵抗Ｒ８、Ｒ９、増幅回路部３３、増幅回路部３４、接続端子２６は、ハンドセット用の音声回路部である。なお、ハンドセット用の音声回路部は、既存の通信機器のインタ−フェース構成に対応するものである。
【００２９】
ハンドセットが通信機器１０に挿入された場合、ハンドセットの送話用の接続端子が接続端子２３及び２４に接続すると、電位差が生じ、動作電流が流れる。ハンドセットからの送話信号は、接続端子２３及び２４の信号線を通って増幅回路部３３に与えられる。増幅回路部３３により増幅された信号はセレクタ部４１を介して制御部５に与えられ通話先に送信される。一方、通話先からハンドセットへの受話信号が制御部５に与えられると、受話信号は、セレクタ部４２、増幅回路部３４を介して接続端子２６に与えられ、ハンドセットの受話器に与えられる。
【００３０】
また、接続端子２１及び２２、抵抗Ｒ１、Ｒ２、Ｒ３、Ｒ４、Ｒ５、Ｒ７、発光素子１１、受光素子１２、増幅回路部３１、増幅回路部３２、接続端子２５は、ヘッドセット用の音声回路部である。
【００３１】
接続端子２１及び２２は、ヘッドセットの送話用のプラグ（接続端子）と接続するものである。また、接続端子２５は、ヘッドセットの受話用のプラグ（接続端子）と接続するものである。
【００３２】
抵抗Ｒ１は、電源と接続するものであり、抵抗Ｒ２と抵抗Ｒ３とに接続する。ヘッドセットの接続端子が接続端子２１及び２２に接続されていない場合（すなわち、ヘッドセットが挿入されていない場合）、電流は抵抗Ｒ１を経由して接地接続する抵抗Ｒ２に流れる。一方、ヘッドセットの接続端子が接続端子２１及び２２に接続され導通すると、電源と接地との間で電位差が生じ、電流が流れる。
【００３３】
抵抗Ｒ７は、接地接続する抵抗である。
【００３４】
抵抗Ｒ３は、発光素子１１と増幅回路部３１とに接続するものである。ヘッドセットが挿入されると、電流は抵抗Ｒ３を経由して発光素子１１に流れる。
【００３５】
電流監視手段１５は、接続端子２１に接続する信号線８１に流れる電流を監視するものであり、電流を検知すると、検知信号を制御回路部６２に与えるものである。
【００３６】
電流監視手段１５は、発光素子１１と受光素子１２とを有するものである。例えば、電流監視手段１５は、筐体内に発光素子１１及び受光素子１２を有して１個の回路素子とするフォトカプラ等を適用するようにしてもよい。
【００３７】
発光素子１１は、抵抗Ｒ３と接続端子２１に接続するものである。発光素子１１は、ヘッドセットが挿入されると、抵抗Ｒ３を介して入力される電気信号光信号に変換して発光するものである。例えば、発光素子１１は、発光ダイオード等を適用することができる。
【００３８】
受光素子１２は、電源及び抵抗Ｒ４に接続するものである。抵抗Ｒ４は接地接続する抵抗Ｒ５に接続しており、受光素子１２が、発光素子１１の発光した光で導通してＯＮとなり、電流が抵抗Ｒ４に流れる。例えば、受光素子１２は、フォトダイオード、フォトトランジスタ等を適用することができる。
【００３９】
抵抗Ｒ４は、抵抗Ｒ５と制御回路部６２のトランジスタ３５のベース端子とに接続するものである。抵抗Ｒ５は、接地接続するものである。
【００４０】
増幅回路部３１は、ヘッドセットからの送話信号を増幅してセレクタ部４１に与えるものである。
【００４１】
増幅回路部３２は、セレクタ部４２からの信号を増幅して接続端子２５に与えるものである。
【００４２】
制御回路部６２は、音声回路部６１からの検知信号に基づいて、音声回路部６１に対して、ハンドセット接続又はヘッドセット接続の切り替え制御を行なうものである。
【００４３】
図１に示すように、制御回路部６２は、トランジスタ３５、抵抗Ｒ４、Ｒ５、Ｒ６を有する。
【００４４】
トランジスタ３５は、ベース端子が抵抗Ｒ４に接続し、コレクタ端子は、電源接続する抵抗Ｒ６と、信号線８３を介してセレクタ部４１及び４２とに接続し、エミッタ端子は接地するものである。
【００４５】
（Ａ−２）第１の実施形態の動作
次に、第１の実施形態の送受話器の接続切替方法を、図面を参照しながら説明する。
【００４６】
図３は、通信機器１０における送受話器の接続切替方法を説明する説明図である。
【００４７】
まず、ハンドセット接続からヘッドセット接続への切り替えについて説明する。
【００４８】
通信機器１０は、通常、ハンドセットが接続され、ハンドセット通話を行なう。すなわち、通常時は、ヘッドセットが通信機器１０のコネクタに挿入されていない。従って、信号線８１には電流が流れない。
【００４９】
また、このとき、電流監視手段１５の受光素子１２はＯＦＦとなっているので、トランジスタ３５のベース端子には電流が流れておらず、トランジスタ３５はＯＦＦとなっている。従って、トランジスタ３５のコレクタ端子とセレクタ部４１及び４２とを接続する信号線８３の電位はＨレベルとなっている。
【００５０】
ヘッドセットが通信機器１０のコネクタに挿入され、ヘッドセットの接続端子が接続端子２１、２２及び２５に接続される。
【００５１】
ヘッドセットの送話用の接続端子が接続端子２１及び２２に接続されると導通するので、電位差が生じ、電流が抵抗Ｒ１及び抵抗Ｒ３を介して電流監視手段１５に流れる（Ｓ１０１、Ｓ１０２）。
【００５２】
電流監視手段１５では、電流が発光素子１１に入力することで、発光素子１１は発光する。発光素子１１の発光を受光素子１２が受光し、これにより受光素子１２はＯＮとなり、電流が抵抗Ｒ４を介してトランジスタ３５のベース端子及び抵抗Ｒ４及び抵抗５を介して接地に流れる（Ｓ１０３）。
【００５３】
トランジスタ３５のベース端子に電流が流れ、トランジスタ３５がＯＮとなり、電流が抵抗Ｒ６及びトランジスタ３５を介して接地に向けて流れる（Ｓ１０４）。
【００５４】
Ｓ１０４に示す方向に電流が引き込まれることにより、電源に接続する抵抗Ｒ６に接続される信号線８３の電位がＨレベルからＬレベルになる（Ｓ１０５）。信号線８３の電位がＬレベルになることで、セレクタ部４１及び４２は、送受話器の接続をハンドセット接続からヘッドセット接続に切り替える。
【００５５】
このようにして、ヘッドセットの挿入により生じる電流を電流監視手段１５が検知することで、セレクタ部４１及び４２は送受話器の接続をヘッドセット接続に切り替えることができる。
【００５６】
次に、ヘッドセット接続からハンドセット接続への切り替えについて説明する。
【００５７】
ヘッドセットが通信機器１０から抜き取られ、ヘッドセットの送話用の接続端子が接続端子２１、２２及び２５との接続しなくなると、導通しなくなるので、電流監視手段１５に電流が流れなくなる。
【００５８】
電流監視手段１５では、発光素子１１が発光しなくなるので、受光素子１２はＯＦＦとなり、Ｓ１０３に示す方向の電流が流れなくなる。従って、トランジスタ３５はＯＦＦとなり、電源に接続する抵抗Ｒ６に接続される信号線８３の電位はＬレベルからＨレベルになる。信号線８３の電位がＨレベルになることで、セレクタ部４１及び４２は、送受話器の接続をヘッドセット接続からハンドセット接続に切り替える。
【００５９】
このようにして、ヘッドセットの抜去により、電流監視手段１５が電流を検知しなくなることで、セレクタ部４１及び４２は送受話器の接続をハンドセット接続に切り替えることができる。
【００６０】
（Ａ−３）第１の実施形態の効果
以上のように、第１の実施形態によれば、ヘッドセットの挿抜による電流を電流検知手段が検知することにより、送受話器の接続をヘッドセット接続又はハンドセット接続に切り替えることができる。つまり、従来は、利用者が手操作で送受話器の接続切替を行なっていたが、ヘッドセットの挿抜により自動的に切り替えることができる。
【００６１】
また、第１の実施形態は、特許文献１の記載技術のように検出回路が直接音声信号の電圧を検出するものではないので、インピーダンスが変化せず、音声品質に影響が生じない。
【００６２】
（Ｂ）第２の実施形態
次に、本発明の切替制御装置及び通信機器の第２の実施形態について図面を参照しながら説明する。
【００６３】
第２の実施形態は、通信機器に接続されるヘッドセットの種類を制限するものである。
【００６４】
第２の実施形態の構成は、第１の実施形態と基本的には同じものであるので、第２の実施形態においても図１及び図３を用いて説明する。
【００６５】
例えば、操作台類システムの通話に利用する専用のヘッドセットや、例えばＰＣや電話機等に使用される広く市場に流通しているヘッドセット等がある。また例えば、ヘッドセットには、エレクトレットコンデンサタイプや電源供給法タイプ等がある。このように、ヘッドセットには、送受話器の感度、動作電流などの異なる製品がある。
【００６６】
このように、利用されるヘッドセットの種類を制限する場合、電流値を所定の電流値に制限するようにする。
【００６７】
例えば、図１における電流監視手段１５が所定の電流値以上の電流を検知するように電流値を制限するようにしてもよい。つまり、電流監視手段１５において、発光素子１１が発光する電流値に制限を設け、所定の電流値以上の電流が流れる場合には、発光素子１１が発光し、そうでない場合には、発光素子１１が発光しないようにしてもよい。
【００６８】
また例えば、図１において、抵抗Ｒ４の抵抗値を所定の抵抗値に設定することで、トランジスタ３５の動作電位に制限するようにしてもよい。これにより、ヘッドセットが挿入されても、トランジスタ３５がＯＮしないので、送受話器の切り替えを制限することができる。
【００６９】
（Ｃ）他の実施形態
（Ｃ−１）通常の電話機などの通信機器は、ハンドセット及びヘッドセットを接統すると、その接続された形態のまま使用されることが多いが、指令台等の操作台システムでは、ある時間帯ごとに、同じ端末を利用者が入れ替わり使用する場合もある。このように複数の利用者が、同じ端末を使用する場合に、本発明を適用すると、その利用者の利用形態により、ハンドセット及びヘッドセットを使い分けて端末を使用することができる。
【００７０】
（Ｃ−２）上述した第１及び第２の実施形態では、通信機器１０は通常時にハンドセット接続で利用する場合を例示した。そのため、ヘッドセットの送話接続側に電流監視手段を備えることとした。
【００７１】
しかし、通信機器１０が通常時にヘッドセット接続で利用する場合には、ハンドセットの送信接続側に電流監視手段を備えるようにしてもよい。
【００７２】
また、ヘッドセットの送信接続側と、ハンドセットの送信接続側の両方に電流監視手段を備えるようにしてもよい。この場合、制御回路部が、ヘッドセット側の電流監視手段とハンドセット側の電流監視手段のいずれかの検知信号化を判断して、セレクタ部を切り替えるようにしてもよい。
【符号の説明】
【００７３】
１０…通信機器、６１…音声回路部、６２…制御回路部、
１５…電流監視手段、１１…発光素子、１２…受光素子、
３５…トランジスタ、
２１及び２２…ヘッドセットの送話用の接続端子、
２３及び２４…ハンドセットの送話用の接続端子、
２５…ヘッドセットの受話用の接続端子、
２６…ハンドセットの受話用の接続端子、
３１〜３４…増幅回路部、４１及び４２…セレクタ部、Ｒ１〜Ｒ９…抵抗。
【図１】
2013038599.tif 000003
【図２】
2013038599.tif 000004
【図３】
2013038599.tif 000005